(57)【要約】【課題】自然に持ち歩くことができる袋を提供する。【解決手段】袋１は、一辺に開口部４が形成された、吸水性に富む布材からなる袋状本体２と、袋状本体２の開口部４の縁部から上方へ延伸する、吸水性に富む布材からなる把持部３と、開口部４に対向する袋状本体２の下部に取付けられた、凸部を有する雄型スナップ５と、把持部３の上端部に取付けられると共に雄型スナップ５と係止可能に構成された、凹部が形成された雌型スナップ６とを備える。袋状本体２は、前面部２Ａと、前面部２Ａに対向する背面部２Ｂと、前面部２Ａ及び背面部２Ｂの間に位置すると共に互いに対向する左右のマチ部２Ｃとを有する。【選択図】図１
2010173655.tif 000002
【特許請求の範囲】
【請求項１】
少なくとも一辺に開口部が形成された、布材からなる袋状本体と、
該袋状本体の前記開口部の縁部から上方へ延伸する、布材からなる把持部と、
前記開口部に対向する前記袋状本体の下部に取付けられた第１の係止部材と、
前記把持部の上端部に取付けられると共に該第１の係止部材と係止可能に構成された第２の係止部材とを備える
袋。
【請求項２】
前記把持部の一辺と前記袋状本体の一辺とが一直線上に位置し、
前記第１の係止部材と前記第２の係止部材とを結ぶ線が、前記直線と略平行であり、
前記袋状本体の下部の縁部と前記第１の係止部材との間の距離が、前記把持部の上端部の縁部と前記第２の係止部材との間の距離と略同じであり、
前記第１の係止部材と前記直線との間の距離が、前記第２の係止部材と前記直線との間の距離と略同じである
請求項１に記載の袋。
【請求項３】
前記袋状本体は、前面部と、該前面部に対向する背面部と、前記前面部及び前記背面部の間に位置すると共に互いに対向する左右のマチ部とを有し、
前記第１の係止部材が取付けられた領域は、前記前面部と、前記背面部と、各マチ部とが重なった領域である
請求項１または請求項２に記載の袋。
【請求項４】
前記第１の係止部材または前記第２の係止部材の一方は凸部を有する雄型スナップであり、
前記第１の係止部材または前記第２の係止部材の他方は凹部が形成された雌型スナップである
請求項１〜３のいずれか１つに記載の袋。
【請求項５】
前記布材は、吸水性に富む素材である
請求項１〜４のいずれか１つに記載の袋。
【発明の詳細な説明】
【技術分野】
【０００１】
本発明は袋に関する。詳しくは、自然に携帯しやすい買い物袋に係るものである。
【背景技術】
【０００２】
消費者は、店舗等で商品を購入すると、ポリエチレン製の薄いシート材で構成された買い物袋に商品を収容し、この買い物袋を手に提げて持ち帰る。
例えば特許文献１には、図３に示すような買い物袋が記載されている。即ち、特許文献１には、買い物袋１０１の左右上端にマチ１０３と買い物袋の前後面の２重膜で形成した輪状の手提げ部１０４が存在し、買い物袋１０１の上端中央部には凸片１１１が後面１１２を延接して形成され、凸片１０９が前面１０２を延接して形成され、凸片１１１の内側に粘着材１０６が塗布されている旨記載されている。
【先行技術文献】
【特許文献】
【０００３】
【特許文献１】特開２００６−１０３７９０号公報
【発明の概要】
【発明が解決しようとする課題】
【０００４】
しかしながら、特許文献１に記載の買い物袋は、繰り返し使用に適するものではないため、本来の用途以外では、ゴミ袋として利用されるだけで、ほとんど使い捨てられていた。
また、近年の地球温暖化に伴うエコロジーの流れで、リサイクルや省資源化が叫ばれている。その一環として、店舗は買い物袋を有料化したり、消費者は自前のバッグを持参したりしているが、まだまだ充分な普及には至っていない状況にある。
特に男性は、バッグやカバン等を持ち歩かない人が多く、そういう人にしてみれば、わざわざマイバッグ等をポケットにしのばせるのは大変おっくうな事でもあり、また、かさ張ったり邪魔だったりする。しかし、だからと言ってポリエチレン製の買い物袋をポケットにしのばせておくのも抵抗感があり、特に結婚式やパーティー等に参加して良い服を着ている時には一層抵抗感がある。また、会計時に、使い古しのポリエチレン製の買い物袋を差し出すことにも少し抵抗感がある。
【０００５】
本発明は、以上の点に鑑みて創案されたものであり、自然に持ち歩くことができる袋を提供することを目的とする。
【課題を解決するための手段】
【０００６】
上記の目的を達成するために、本発明の袋は、少なくとも一辺に開口部が形成された、布材からなる袋状本体と、該袋状本体の前記開口部の縁部から上方へ延伸する、布材からなる把持部と、前記開口部に対向する前記袋状本体の下部に取付けられた第１の係止部材と、前記把持部の上端部に取付けられると共に該第１の係止部材と係止可能に構成された第２の係止部材とを備える。
【０００７】
ここで、開口部に対向する袋状本体の下部に取付けられた第１の係止部材と、把持部の上端部に取付けられると共に第１の係止部材と係止可能に構成された第２の係止部材とによって、袋を折畳んで、袋状本体の下部と把持部の上端部とを係止させることができ、折畳んだ状態のときに違和感がなく、また、袋状本体と把持部が布材からなるので、折畳んだ状態の袋をハンカチとして持ち歩くことができる。
【０００８】
また、本発明の袋において、把持部の一辺と前記袋状本体の一辺とが一直線上に位置し、前記第１の係止部材と前記第２の係止部材とを結ぶ線が、前記直線と略平行であり、前記袋状本体の下部の縁部と前記第１の係止部材との間の距離が、前記把持部の上端部の縁部と前記第２の係止部材との間の距離と略同じであり、前記第１の係止部材と前記直線との間の距離が、前記第２の係止部材と前記直線との間の距離と略同じである場合、袋の各縁部を揃えて折畳み、係止させやすくなる。
【０００９】
また、本発明の袋において、袋状本体は、前面部と、前面部に対向する背面部と、前面部及び背面部の間に位置すると共に互いに対向する左右のマチ部とを有し、第１の係止部材が取付けられた領域は、前面部と、背面部と、各マチ部とが重なった領域である場合、前面部と、背面部と、各マチ部とが重なった領域にさらに第１の係止部材が取付けられているので、袋の強度を高めることができる。
【００１０】
また、本発明の袋において、第１の係止部材または第２の係止部材の一方は凸部を有する雄型スナップであり、第１の係止部材または第２の係止部材の他方は凹部が形成された雌型スナップである場合、しっかりと第１の係止部材と第２の係止部材とを係止させることができる。
【００１１】
また、本発明の袋において、布材は、吸水性に富む素材である場合、ハンカチとしての使用に適している。
【発明の効果】
【００１２】
本発明に係る袋は、自然に持ち歩くことができる。
【図面の簡単な説明】
【００１３】
【図１】本発明の袋の一例を示す概略図である。
【図２】本発明の袋の折畳み手順の一例を説明する概略図である。
【図３】従来の買い物袋の概略図である。
【発明を実施するための形態】
【００１４】
以下、本発明の実施の形態について図面を参照しながら説明し、本発明の理解に供する。
図１は、本発明の袋の一例を示す概略図である。本発明の袋１は、一辺に開口部４が形成された、吸水性に富む布材からなる袋状本体２と、袋状本体２の開口部４の縁部から上方へ延伸する、吸水性に富む布材からなる把持部３と、開口部４に対向する袋状本体２の下部に取付けられた、凸部を有する雄型スナップ（第１の係止部材の一例である。）５と、把持部３の上端部に取付けられると共に雄型スナップ５と係止可能に構成された、凹部が形成された雌型スナップ（第２の係止部材の一例である。）６とを備える。
また、袋状本体２は、前面部２Ａと、前面部２Ａに対向する背面部２Ｂと、前面部２Ａ及び背面部２Ｂの間に位置すると共に互いに対向する左右のマチ部２Ｃ（他方のマチ部は図示せず。）とを有する。
また、雄型スナップ５が取付けられた領域は、前面部２Ａと、背面部２Ｂと、各マチ部２Ｃとが重なった領域である。
なお、雄型スナップ５の凸部や雌型スナップ６の凹部は、袋１の一方の面側にあるだけである。
【００１５】
ここで、雄型スナップ５が開口部４に対向する袋状本体２の下部に取付けられ、雌型スナップ６が把持部３の上端部に取付けられているが、必ずしもこのような形態に限定されるものではなく、例えば、雄型スナップ５が把持部３の上端部に取付けられ、雌型スナップ６が開口部４に対向する袋状本体２の下部に取付けられてもよい。
また、第１の係止部材と第２の係止部材とが互いに係止できるのであれば、必ずしも雄型スナップと雌型スナップを用いなくてもよく、例えば雄型面ファスナーと雌型面ファスナーを用いてもよいが、雄型スナップと雌型スナップを用いれば、しっかりと互いを係止できるので好ましい。
また、布材は必ずしも吸水性に富むものでなくてもよいが、吸水性に富む布材であれば、折畳んだ袋がハンカチとしての使用に適しているので好ましい。
【００１６】
図２は、本発明の袋の折畳み手順の一例を説明する概略図である。
内部を空にした本発明の袋１を広げる（図２（ａ）参照。）。また、図２（ａ）に示すように、把持部３の一辺と袋状本体２の一辺とが一直線上に位置し、雄型スナップ５と雌型スナップ６とを結ぶ線が、この直線（即ち、一直線上に位置した把持部３の一辺及び袋状本体２の一辺）と略平行であり、袋状本体２の下部の縁部と雄型スナップ５との間の距離Ａが、把持部３の上端部の縁部と雌型スナップ６との間の距離Ｃと略同じであり、雄型スナップ５と直線（一直線上に位置した把持部３の一辺及び袋状本体２の一辺）との間の距離Ｂが、雌型スナップ６と直線（一直線上に位置した把持部３の一辺及び袋状本体２の一辺）との間の距離Ｄと略同じである。
【００１７】
次に、折畳み線７に沿って袋状本体２を折畳み、雄型スナップ５の凸部を雌型スナップ６の凹部に入れて係止させる（図２（ｂ）参照。）。
さらに、折畳み線７に沿って袋状本体２を折畳み、図２（ｃ）のような状態にする。
そして、さらに折畳み線７に沿って袋状本体２を折畳み、図２（ｄ）のような状態にする。
【００１８】
以上のように、本発明の袋は、開口部に対向する袋状本体の下部に取付けられた雄型スナップと、把持部の上端部に取付けられると共に雄型スナップと係止可能に構成された雌型スナップとを備えているので、袋を折畳んで、袋状本体の下部と把持部の上端部とを係止させることができ、折畳んだ状態のときに違和感がなく、また、袋状本体と把持部が布材からなるので、折畳んだ状態の袋をハンカチとして持ち歩くことができ、自然に持ち歩くことができる。
また、ハンカチは通常、折り曲げた状態で使用することがほとんどであり、全部広げて使用することはあまりないため、折畳んだ袋であっても違和感を覚えることはない。
また、スナップの係止状態を解除して折畳んだ袋を広げると、通常の買い物袋になるので、ちょっとした買い物のときにオシャレに使うことができる。
また、折畳まれた本発明の袋はハンカチとして認識されやすいので、持ち忘れが減り、常時持つことによるエコロジーへの貢献度を高める効果が見込める。
【００１９】
また、係止部材としてスナップが用いられているので、しっかりと係止ができると共に、袋の強度も高めることができる。
【００２０】
また、袋状本体及び把持部は布材からなるので、ポリエチレン製の買い物袋と異なり、折畳みやすい。
【符号の説明】
【００２１】
１    袋
２    袋状本体
２Ａ  前面部
２Ｂ  背面部
２Ｃ  マチ部
３    把持部
４    開口部
５    雄型スナップ
６    雌型スナップ
７    折畳み線
【図１】
2010173655.tif 000003
【図２】
2010173655.tif 000004
【図３】
2010173655.tif 000005